(57)【要約】      （修正有）【課題】粉ミルクを一時的に収納できる簡便な構造である収納容器の機能を兼ね備えた密封式ロートを提供する。【解決手段】密封式ロートは、上段が小さくすぼまった口径の出料管２１と、それに続く下段が拡大状の収容設置空間である収容ケース２により構成し、収容ケース２の上、下両端は開放状の注ぎ口２１Ａとケース口２２を形成する。これにより注ぎ口２１Ａには、口封鎖用のキャップ３、或いは注ぎ口２１Ａの口径を小さくするアダプターキャップを合わせて嵌め、しかも収容ケース２の底端のケース口２２には、一部分は口縁辺部に連結し屈折して、ケース口２２外縁を封鎖し、こうして底側レシーブプレート２３を一体成型方式で形成し、これにより反対向きに置き、開口を上向きにした収容ケース２は、両端の注ぎ口２１Ａとケース口２２を開放し、粉状、液状体物を集中させて、異なる口径の瓶体或いは袋体等に注ぎ入れるロートとして使用する。又、出料管２１を上向きに置くと、収容ケース２の内側空間から粉ミルクを充填、収納、注入する粉ミルク携帯ケースとして使用できる。【選択図】図３
0003164332.tif 000002
【実用新案登録請求の範囲】
【請求項１】
収納容器の機能を兼ね備えた密封式ロートは、上段が小さくすぼまった口径の出料管とそれに続く下段が拡大状の収容設置空間である収容ケースを備え、
前記収容ケースの上、下両端は、開放状の注ぎ口とケース口を形成し、
前記収容ケースの頂端の注ぎ口には、口封鎖用のキャップを設置し、
前記収容ケースの底端のケース口には、一部分が口縁辺部に連結し、屈折してケース口外縁を封鎖し、こうしてレシーブプレートを一体成型方式で形成し、
上記した構造により、前記収容ケースは両端の注ぎ口とケース口を開放、封鎖することで、粉ミルク充填、収納、注入を行う粉ミルク携帯ケースを提供し、
或いは、両端の注ぎ口とケース口を開放し、粉状、液状体物を集中させて、異なる口径の瓶体或いは袋体等に注ぎ入れられるロートとできることを特徴とする収納容器の機能を兼ね備えた密封式ロート。
【請求項２】
前記収容ケースの注ぎ口には、すぼまった口径の異なる規格のアダプターキャップを対応させ、選択して嵌合することができ、
こうして注ぎ口口径の自由調整を達成し、瓶口の口径がより小さい瓶体に適応させ、いずれも粉ミルクの充填、或いはロート機能の使用を達成可能であることを特徴とする請求項１に記載の収納容器の機能を兼ね備えた密封式ロート。
【請求項３】
前記アダプターキャップは、サイズがすぼまった円錐状キャップ管で、
前記キャップに合わせて注ぎ口の内側に嵌める形態とし、及び前記アダプターキャップの注ぎ口外側に嵌める形態とし、
これにより、前記キャップと前記アダプターキャップは、連続し重なって接続し嵌合し、整理、携帯に便利で、体積を節減し、遺失を防止する効果を達成することを特徴とする請求項２に記載の収納容器の機能を兼ね備えた密封式ロート。
【考案の詳細な説明】
【技術分野】
【０００１】
本考案は収納容器の機能を兼ね備えた密封式ロートに関し、特に上が大きく、下が小さい収容ケースで、上、下両端は開放状の注ぎ口とケース口を呈するロート構造で、上、下両端の出口端は可動式に封鎖し、端口を開放すると、粉状、液状体物を集中させて異なる口径の瓶体或いは袋体に入れるロートとしての導引機能を提供し、上段の注ぎ口には、キャップ或いは注ぎ口の口径を小さくするアダプターキャップを嵌めることができ、収容ケースの底端のケース口に合わせて、一体成型方式で底側の可動式レシーブプレートを形成し、こうして粉ミルクを一時的に収納できる簡便な構造である収納容器の機能を兼ね備えた密封式ロートに関する。
【背景技術】
【０００２】
ロートの機能は主に、粉体或いは液体等を集中させ、比較的口径の小さい瓶内に導引し、これにより携帯、小分けの便を計るものである。
しかし、従来のロートの多くには、上、下両端を蓋合する設計がないため、衛生的に十分でなく、しかも単一機能であるため、適用範囲が狭い。
例えば、廉価で扁平状の市販のチャック付き袋、或いは粉ミルク専用袋は、コンパクトでスペースをとらないため、外出前に、粉ミルク或いは副食品を小分けして袋内に入れ、粉ミルク携帯の回数と総量を拡大する効果を達成しており、さらに使用時には袋口を開け、粉ミルクを哺乳瓶に入れることができるが、粉ミルクを入れる時、或いは粉ミルクを哺乳瓶の瓶口に入れる時には、チャック付き袋、或いは粉ミルク専用袋の袋口はつぶれているため、非常に不便である。
【０００３】
そのため、使用者はしばしば別にロートを準備する必要がある。
その際には、哺乳瓶の瓶口にロートをあてがい、次にロートを通して粉ミルクを粉ミルク袋に入れ、或いは粉ミルク袋から粉ミルクを哺乳瓶に入れなければならず、余分な準備が一つ増え、非常に面倒である。
上記した状況の改善のため、携帯用粉ミルク携帯ケースの中には、同型の円型或いは筒型ボックス体が連続して層状にネジヤマで繋がり、或いは単一ボックス体内を区画し、これに粉ミルクの注入を助けるロート型作用を備える上蓋を組合せるものが見られる。
【０００４】
この構造は、シンプルで必要な機能を備えてはいるが、その用途と使用性能は単一でしかない。
そのため、以下のような必要がある場合には、従来の粉ミルク携帯ケースでは対応できないため、操作上の不便が存在する。
1.  粉ミルクを入れようとする瓶体の瓶口が、粉ミルク携帯ケースの単一の注ぎ口の口径より小さい時には、粉体を正確に入れることはできない。
2. 使用者が粉ミルク以外の液体を幼児に与えようとする時には、別にロートを準備し、哺乳瓶の瓶口にそのロートをあてがい、液体を入れる必要がある。
3. 長時間外出する必要がある時には、４〜６個に分かれた小分け用の従来の標準的な粉ミルク携帯ケースでは、使用の必要を満たすことができず、そのためいくつもの粉ミルク携帯ケースを携帯することとすれば、その体積は膨大で非常に不便である。
本考案は、従来の構造の上記した欠点に鑑み、粉ミルク、或いは果汁等の液状物を小分け、収納できる等の完璧な機能を備えた構造を提供するものである。
【考案の概要】
【考案が解決しようとする課題】
【０００５】
本考案が解決しようとする第一の課題は、充填を助ける密封式ロートとでき、上が大きく、下が小さい収容ケースの上、下両端は開放状の注ぎ口とケース口で、開放式で、口径を大から小へと変えるロート機能を提供し、粉ミルク或いは他の液体(果汁、飲料等)等は、収容ケースを反対向きに置いた後、頂端の注ぎ口から粉ミルク袋の開いた口に入り、或いは哺乳瓶或いは他の容器の口縁内に入り、これにより正確、スムーズ、しかも迅速に粉ミルク、副食品等を導引し、直接、迅速に袋内或いは瓶内に入れ、これにより粉ミルク或いは副食品が袋外或いは瓶外に散らばるのを効果的に防止することができ、最適で便利な操作効果とロート両端口を共に封鎖できるという衛生性を備える収納容器の機能を兼ね備えた密封式ロートを提供することである。
【０００６】
本考案が解決しようとする第二の課題は、充填操作に便利な収納容器で、収容ケース底端においてレシーブプレートにより封鎖するケース口において、レシーブプレートをめくり開け、収容ケースを反対向きに置くと、粉ミルクをケース内に直接入れることができ、またレシーブプレートにより封鎖し、さらに反対向きに置くと、準備と収納が完成され、しかもレシーブプレートは収容ケースと一体成型され、構造、操作共に簡便で多様な実用の利益を備える収納容器の機能を兼ね備えた密封式ロートを提供することである。
【０００７】
本考案が解決しようとする第三の課題は、適用範囲が広い収納容器とロートで、収容ケース頂端には、口封鎖用のキャップを提供し、重ねて嵌め、注ぎ口の口径を小さくすることができる数個のアダプターキャップを設置し、キャップを外した後に適した小口径のアダプターキャップを選択すれば、収容ケース内の粉ミルクに合わせ、或いは注入用ロートとして使用する時には、粉状或いは液状体物を集中させ、異なる口径の瓶体内に入れることができる便利な操作効果を実現することができる収納容器の機能を兼ね備えた密封式ロートを提供することである。
【課題を解決するための手段】
【０００８】
上記課題を解決するため、本考案は下記の収納容器の機能を兼ね備えた密封式ロートを提供する。
【考案の効果】
【０００９】
本考案の収納容器の機能を兼ね備えた密封式ロートは、粉状、液状体物を集中させて異なる口径の瓶体或いは袋体に入れるロートとしての導引機能を提供し、上段の注ぎ口には、キャップ或いは注ぎ口の口径を小さくするアダプターキャップを嵌めることができ、収容ケースの底端のケース口に合わせて、一体成型方式で底側の可動式レシーブプレートを形成し、こうして粉ミルクを一時的に収納できる簡便な構造を達成することができる。
【図面の簡単な説明】
【００１０】
【図１】本考案構造の立体図である。
【図２】本考案構造の断面図である。
【図３】本考案構造の使用状態を示す立体図一である。
【図４】本考案構造の使用状態を示す立体図二である。
【図５】本考案実施例構造の立体模式図一である。
【図６】図５の断面模式図である。
【図７】本考案実施例構造の立体模式図二である。
【図８】図７の断面模式図である。
【図９】本考案実施例構造の立体模式図三である。
【図１０】図９の断面模式図である。
【考案を実施するための形態】
【００１１】
以下に図面を参照しながら本考案を実施するための最良の形態について詳細に説明する。
【実施例】
【００１２】
図１、２、３に示すように、本考案収納容器の機能を兼ね備えた密封式ロートの構造は、上段が小さくすぼまった口径を呈する出料管21、それに続く下段は拡大状の収容設置空間である収容ケース2を備える。
【００１３】
収容ケース2の上、下両端は、開放状の注ぎ口21Aとケース口22を形成する。
これにより、注ぎ口21Aには、口封鎖用のキャップ3を対応させて嵌めることができる。
収容ケース2の底端のケース口22には、レシーブプレート23を一体成型方式により形成する。
レシーブプレート23は、一部分がケース口22縁辺部に連結し、屈折して、ケース口22外縁を封鎖し、これにより収容ケース2底側を封鎖する。
【００１４】
この構造により、収容ケース2は、注ぎ口21Aをキャップ3により封鎖し、収容ケース2を反対向きに置き、レシーブプレート23を開け(図３参照)れば、粉ミルクPを、ケース口22位置から注いで充填することができる。
次に、収容ケース2を反対向きに置けば、収納は完成(図２参照)する。
使用者が粉ミルクPを出したい時には、キャップ3を開き、収容ケース2を傾けるだけで、非常に便利かつ迅速に粉ミルクPを注ぐことができ、極めて簡便な操作性を備える。
【００１５】
さらに、この構造において、使用者が収容ケース2の注ぎ口21A位置をキャップ3により塞がずに、収容ケース2を反対に向け、レシーブプレート23を開ければ(図４参照)、底段の注ぎ口21Aはすぼまり、上段は拡大状のケース口22を呈する開放状の収容ケース2は、ロートの形状を呈し、粉や液体を注ぐ際に便利である。
こうして使用者は、注ぎ口21Aを瓶の瓶口内に入れ、或いは粉ミルク袋等の袋口を開き、粉ミルク或いは他の液体(果汁、飲料等)を正確、スムーズ、しかも迅速に瓶内或いは袋内に導入して入れることができる。
これにより、粉ミルク或いは副食品等が瓶外或いは袋外にこぼれることを防止可能である。
使用者はこの操作のために、別にロートを準備する必要はなく、本考案の収納容器の機能を兼ね備えた密封式ロートを準備するだけで良い。
【００１６】
図５、６、７、８に示すように、本考案収納容器の機能を兼ね備えた密封式ロートは、すぼまった口径に、異なる規格のアダプターキャップ41、42を対応させ、収容ケース2の出料口21外周に合わせて選択し嵌めることができる。
こうして、注ぎ口の口径を自由に調整(小さくする)し、瓶口の口径がより小さい瓶体にも適応させられ、粉ミルクを入れ、或いはロートとしての機能を発揮させることができる。
【００１７】
図９、１０に示すように、アダプターキャップ41、42は、サイズがすぼまった円錐状キャップ管で、連続状して嵌合する設計とするため、対応させて嵌め、接続する設計とすることができる。
しかも、キャップ3は注ぎ口21Aの内側に嵌めるサイズとし、またアダプターキャップ41、42に対応して注ぎ口21Aの外側に嵌めるサイズとすることができるため、両者は相互に重なって接続し、連続して嵌る。
これにより、整理、携帯に便利で、体積をコンパクトにし、遺失を防止する等の多種の効果を達成することができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案の要件である新規性を備え、従来の同類製品に比べ十分な進歩を有し、実用性が高く、社会のニーズに合致しており、産業上の利用価値は非常に大きい。
【符号の説明】
【００２０】
２        収容ケース
２１      出料管
２１Ａ    注ぎ口
２２      ケース口
２３      レシーブプレート
３        キャップ
４１、４２  アダプターキャップ
Ｐ        粉ミルク
【図１】
0003164332.tif 000003
【図２】
0003164332.tif 000004
【図３】
0003164332.tif 000005
【図４】
0003164332.tif 000006
【図５】
0003164332.tif 000007
【図６】
0003164332.tif 000008
【図７】
0003164332.tif 000009
【図８】
0003164332.tif 000010
【図９】
0003164332.tif 000011
【図１０】
0003164332.tif 000012